(57)【特許請求の範囲】
【請求項１】
複数の連続的な画像データを取得するデータ取得手段と、
前記画像データ取得手段が取得した前記連続的な画像データに基いて、前記連続的な画像データがそれぞれ表す連続的な画像を所定の表示順序で表示部に表示する表示制御手段と、
を備え、
前記表示制御手段は、画像の性質を表す種々のパラメータを変更することにより、画像の視覚的印象である画風を変更する画風変更手段を含み、前記表示部に表示する前記連続的な画像のうちから予め定められた一部の画像について、前記画風変換手段による画像処理を施してから前記表示部に表示する、
とともに、
前記一部の画像は、複数の画像であり、
前記表示制御手段は、前記一部の画像のうちの少なくとも一の画像の前記画風の変更度が最も大きくなるように、前記変更度をそれぞれ徐々に異ならせて前記画像の画風を変更する、
ことを特徴とする表示制御装置。
【請求項２】
前記変更度が最も大きい前記画像は、前記表示順序が前記一部の画像のうちの真ん中にある、
ことを特徴とする請求項１に記載の表示制御装置。
【請求項３】
前記変更度が最も大きい前記画像は、前記表示順序が前記一部の画像のうちの最後の画像である、
ことを特徴とする請求項１に記載の表示制御装置。
【請求項４】
前記データ取得手段は、前記複数の連続的な画像データを連続的な撮影により取得することを特徴とする請求項１乃至３いずれかに記載の表示制御装置。
【請求項５】
コンピュータを、
複数の連続的な画像データを取得するデータ取得手段と、
前記画像データ取得手段が取得した前記連続的な画像データに基いて、前記連続的な画像データがそれぞれ表す連続的な画像を所定の表示順序で表示部に表示する表示制御手段と、
して機能させ、
前記表示制御手段は、画像の性質を表す種々のパラメータを変更することにより、画像の視覚的印象である画風を変更する画風変更手段を含み、前記表示部に表示する前記連続的な画像のうちから予め定められた一部の画像について、前記画風変換手段による画像処理を施してから前記表示部に表示する、
とともに、
前記一部の画像は、複数の画像であり、
前記表示制御手段は、前記一部の画像のうちの少なくとも一の画像の前記画風の変更度が最も大きくなるように、前記変更度をそれぞれ徐々に異ならせて前記画像の画風を変更する、
ことを特徴とする表示制御プログラム。
【発明の詳細な説明】
【技術分野】
【０００１】
本発明は、表示制御装置及び表示制御プログラムに関する。
【背景技術】
【０００２】
例えば、特許文献１には、画像を連続的に表示する画像表示方法において、関連する複数の画像を抽出するための関連画像抽出工程と、前記関連画像抽出工程が抽出した画像のおのおのと関連付けられた撮影情報を取得する撮影情報取得工程と、前記撮影情報取得工程が取得した各画像の撮影情報に基づいて個々の画像の表示形態を判断する表示形態判断工程とを備える画像表示方法が開示されている。
【先行技術文献】
【特許文献】
【０００３】
【特許文献１】特開２００８−４２２５６号公報
【発明の概要】
【発明が解決しようとする課題】
【０００４】
しかし、特許文献１に記載された画像表示方法では、複数の画像からなる画像群においてユーザの興味を引く画像等の所定の画像を際立たせることはできない。
【０００５】
本発明は、このような従来の問題点に鑑みてなされたもので、表示部に順次表示される画像群の中で、所定の画像を際立たせることができる表示制御装置及び表示制御プログラムを提供することを目的とする。
【課題を解決するための手段】
【０００６】
上記目的を達成するため、請求項１記載の発明は、複数の連続的な画像データを取得するデータ取得手段と、前記画像データ取得手段が取得した前記連続的な画像データに基いて、前記連続的な画像データがそれぞれ表す連続的な画像を所定の表示順序で表示部に表示する表示制御手段と、を備え、前記表示制御手段は、画像の性質を表す種々のパラメータを変更することにより、画像の視覚的印象である画風を変更する画風変更手段を含み、前記表示部に表示する前記連続的な画像のうちから予め定められた一部の画像について、前記画風変換手段による画像処理を施してから前記表示部に表示する、とともに、前記一部の画像は、複数の画像であり、前記表示制御手段は、前記一部の画像のうちの少なくとも一の画像の前記画風の変更度が最も大きくなるように、前記変更度をそれぞれ徐々に異ならせて前記画像の画風を変更する、ことを特徴とする表示制御装置を提供するものである。
【０００８】
上記目的を達成するため、請求項５記載の発明は、コンピュータを、複数の連続的な画像データを取得するデータ取得手段と、前記画像データ取得手段が取得した前記連続的な画像データに基いて、前記連続的な画像データがそれぞれ表す連続的な画像を所定の表示順序で表示部に表示する表示制御手段と、して機能させ、前記表示制御手段は、画像の性質を表す種々のパラメータを変更することにより、画像の視覚的印象である画風を変更する画風変更手段を含み、前記表示部に表示する前記連続的な画像のうちから予め定められた一部の画像について、前記画風変換手段による画像処理を施してから前記表示部に表示する、とともに、前記一部の画像は、複数の画像であり、前記表示制御手段は、前記一部の画像のうちの少なくとも一の画像の前記画風の変更度が最も大きくなるように、前記変更度をそれぞれ徐々に異ならせて前記画像の画風を変更する、ことを特徴とする表示制御プログラムを提供するものである。
【発明の効果】
【００１０】
本発明に係る表示制御装置及び表示制御プログラムによれば、表示部に順次表示される画像群の中で、所定の画像を際立たせることができる。
【図面の簡単な説明】
【００１１】
【図１】本発明の一実施形態に係る表示制御装置の外観を示す図である。
【図２】本発明の一実施形態に係る表示制御装置の構成を示すブロック図である。
【図３】本発明の一実施形態に係る表示制御装置のハードウェア構成図である。
【図４】本発明の一実施形態に係る表示制御装置が行う画像処理情報生成処理のフローチャートである。
【図５】本発明の一実施形態に係る表示制御装置が生成した画像処理情報の内容の一例を示す図である。
【図６】本発明の一実施形態に係る表示制御装置が行う表示制御処理のフローチャートである。
【図７】（ａ）は、表示部にスライドショー表示される画像群を構成する各画像（画風を変更する画像にあっては、変更される前の元画像）の一部を表す。（ｂ）は、表示部に表示する表示順序と、表示順序に応じて画風を変更する際の変更度Ｐとの関係を示した一例のグラフである。（ｃ）は、元画像のうちの主要被写体である人に着目して、どの画像について画像処理が施されるかを説明するための図である。
【図８】（ａ）及び（ｂ）は、表示部に表示する画像の表示順番と、表示順番に応じて画風を変更する際の変更度Ｐとの関係を示した他の例のグラフである。
【図９】（ａ）乃至（ｃ）は、表示部に表示する画像の表示順番と、表示順番に応じて画風を変更する際の変更度Ｐとの関係を示した他の例のグラフである。
【発明を実施するための形態】
【００１２】
以下、本発明の一実施形態に係る表示制御装置を、図面を参照して説明する。
【００１３】
なお、本発明は下記の実施形態及び図面によって限定されるものではない。下記の実施形態及び図面に変更（構成要素の削除も含む）を加えることができるのはもちろんである。また、以下の説明では、本発明の理解を容易にするために、重要でない公知の技術的事項の説明を適宜省略する。
【００１４】
まず、本実施形態に係る表示制御装置１００の構成を図１乃至図３を参照して説明する。
【００１５】
本実施形態に係る表示制御装置１００は、デジタル写真を表示するデジタルフォトスタンド（表示装置の一例）である。表示制御装置１００は、図１に示すように、フォトフレーム（写真立て）を模した筐体に表示パネル（表示部１４０）を組み込んで、デジタルデータ（画像データ）による写真画像などを表示する機能を有する。
【００１６】
表示制御装置１００は、図２のように、制御部１１０と、記憶部１２０と、操作部１３０と、表示部１４０と、読出・書込部１５０と、を備える。
【００１７】
制御部１１０は、表示制御装置１００全体を制御する。制御部１１０は、画像データ取得部１１０ａと表示制御部１１０ｂと画像処理情報生成部１１０ｃとを備える。画像データ取得部１１０ａと表示制御部１１０ｂとは、後述の表示制御処理を行う。画像処理情報生成部１１０ｃは、後述の画像処理情報生成処理を行う。
【００１８】
制御部１１０（特に、画像データ取得部１１０ａ、表示制御部１１０ｂ、画像処理情報生成部１１０ｃ）は、例えば、ＣＰＵ（Central Processing Unit）１１１とＲＡＭ（Random Access Memory）１１２とを含んで構成される（図３参照）。
【００１９】
ＣＰＵ１１１は、制御プログラム１２２に従って、表示制御装置１００全体を制御するとともに、画像データ取得部１１０ａ及び表示制御部１１０ｂが行う後述の表示制御処理、画像処理情報生成部１１０ｃが行う画像処理情報生成処理を行う。制御プログラム１２２は、後述のハードディスク１２１に記録され、所定のタイミングでＲＡＭ１１２に読み出される。ＣＰＵ１１１は、ＲＡＭ１１２に読み出された制御プログラム１２２の指令に基づいて前記の処理を行う。制御部１１０（画像データ取得部１１０ａ、表示制御部１１０ｂ、画像処理情報生成部１１０ｃ）の少なくとも一部は、各種専用回路（例えば画像データを圧縮するエンコーダ、画像データを伸長するデコーダ等）によって構成されてもよい。この場合、各種専用回路がＣＰＵ１１１が行う処理の一部を行う。
【００２０】
ＲＡＭ１１２は、ＣＰＵ１１１のワーキングメモリ等として機能する。ＣＰＵ１１１が処理中に使用するデータ及び生成したデータはＲＡＭ１１２に一時記録される。ＣＰＵ１１１に入出力されるデータはＲＡＭ１１２に一時記録される。
【００２１】
記憶部１２０は、制御部１１０が処理中に使用する又は生成したデータ、制御部１１０が記憶媒体５０から読み出した画像データ等を適宜記憶する。また、記憶部１２０は、画像処理情報１２３を記憶する。記憶部１２０は、例えば、ハードディスク１２１を含んで構成される（図３参照）。ハードディスク１２１には、上記データ（画像処理情報１２３等）、制御プログラム１２２等が記録される。記憶部１２０は、フラッシュメモリ等の他の記憶装置を含んで構成されてもよい。
【００２２】
操作部１３０は、ユーザの操作を受け付け、受け付けた操作に応じた操作信号を制御部１１０に供給する。操作部１３０は、例えば、入力キー１３１を含んで構成される（図３参照）。入力キー１３１は、ユーザからの押圧操作に応じたオン信号等を操作信号として出力する。入力キー１３１は、例えば、所定の機能を有するキーとして機能する１以上のキーによって構成される。
【００２３】
表示部１４０は、制御部１１０から供給された表示用データ等に基づいて、画像、操作画面等を表示する。表示部１４０は、例えば、駆動回路１４１と表示パネル１４２とを含んで構成される（図３参照）。駆動回路１４１には、ＣＰＵ１１１の制御のもと、表示用データが供給される。駆動回路１４１は、供給された表示用データに基づいて表示パネル１４２を駆動し、表示パネル１４２に表示用データが表す画像、操作画面等を表示させる。表示パネル１４２は、液晶パネル、有機ＥＬ（Electro Luminescence）パネル等によって構成される。
【００２４】
読出・書込部１５０は、記憶媒体５０に対してデータ（例えば画像データ）を読み書きする。読出・書込部１５０は、例えば、メディアコントローラ１５１によって実現される。メディアコントローラ１５１は、メモリカード５１に対してデータを読み書きする。
【００２５】
記憶媒体５０は、各種のデータを記憶する。記憶媒体５０は、デジタルカメラが撮影した撮影画像（例えばデジタル写真）を表すデータである画像データを記録する。記憶媒体５０は、メモリカード５１によって実現される。メモリカード５１は、フラッシュメモリ等のメモリを使用したものであり、各種のデータを記憶する。記憶媒体５０は、例えば、ＭＤ（ＭＤ：Mini Disc〜商標），ＣＤ（Compact Disk），ＤＶＤ（Digital Versatile Disk），ＭＯ（Magneto Optical disk）であってもよい。
【００２６】
次に、表示制御装置１００の動作について説明する。なお、ここでは、記憶媒体５０に所定数の画像データによって構成されるグループ（画像データ群）がグループ毎に記録されているものとする。なお、以下では、画像データ群を構成する各画像データが表す各画像の集合を画像群と呼ぶ。画像データ群は、例えば、連続的な撮影（連写撮影）によって得られた連続的な静止画像をそれぞれ表す複数の静止画像データ（連写撮影データ）である。各画像データ群は、それぞれ、例えば、画像データ群を特定できる識別データ（例えば、ＩＤ情報のデータ）とともに記憶媒体５０に記録されているものとする。また、画像データ群の各画像データがそれぞれ表す画像の表示順序は予め設定されているものとする。この表示順序を特定するデータ（表示順序データ）も、画像データ群とともに記憶媒体５０に記録されているものとする。さらに、画像データ群が連写撮影データで有る場合には、その旨を示すデータが画像データ群に含まれるものとする。このようなデータは、連写撮影によって、連写撮影データが生成されるときに適宜生成される。
【００２７】
まず、表示制御装置１００が行う画像処理情報生成処理を、図４を参照して説明する。この画像処理情報生成処理は、ユーザが操作部１３０を操作し、画像処理情報の生成モードを指定するとともに、処理対象となる画像群を指定したときを契機として開始する。なお、この画像処理情報生成処理は、処理中であっても、ユーザが操作部１３０を操作し、他のモードを指定したとき等を契機として終了するものとする。
【００２８】
画像処理情報生成処理が開始されると、画像データ取得部１１０ａは、読出・書込部１５０を介して記憶媒体５０からユーザに指定された画像群を表す画像データ群を構成する各画像データを順次取得するとともにこの画像群データの識別データ及び表示順序データを取得する。画像データ取得部１１０aは、読出・書込部１５０を介して記憶媒体５０から画像データを読み出し、ＲＡＭ１１２に保持することによって、画像データを取得する。画像データ取得部１１０ａは、読出・書込部１５０を介して記憶媒体５０から識別データ及び表示順序データを読み出し、ＲＡＭ１１２に保持することによって、識別データ及び表示順序データを取得する。
【００２９】
画像処理情報生成部１１０ｃは、画像データ取得部１１０ａが順次取得した各画像データに基づいて、例えば、各画像データが表す各画像（画像群を構成する各画像）の縮小画像を組み込んだ画像（画像選択用画像）を表す表示用データを生成する。画像処理情報生成部１１０ｃは、生成した表示用データを表示部１４０に供給し、この表示用データが表す画像選択用画像を表示部１４０に表示する（ステップＳ１０１）。この画像選択用画像の表示によって、画像群のうちの一の画像の選択がユーザに促される。なお、画像処理情報生成部１１０ｃは、画像データ取得部１１０ａが取得した表示順序データを用いて、一の画像が選択された場合でも、この選択された画像の表示の順番を特定できるように、画像選択用画像を表示部１４０に表示するものとする。なお、ユーザが選択する一の画像は、ユーザが画風を変化させて表示部１４０に表示させたい画像（例えば、画像群の中のうちのユーザが興味を持った画像）であり、以下では、この画像をクライマックスシーンと呼ぶ。
【００３０】
次に、画像処理情報生成部１１０ｃは、ユーザがクライマックスシーンを選択したかを判別する（ステップＳ１０２）。ユーザが操作部１３０を操作し、クライマックスシーンを選択すると、操作部１３０は、この選択に応じた操作信号を画像処理情報生成部１１０ｃに供給する。画像処理情報生成部１１０ｃは、このような操作信号が供給されていなければ、ユーザがクライマックスシーンを選択していないと判別し（ステップＳ１０２；ＮＯ）、再びステップＳ１０２の処理を行う。このようにして、画像処理情報生成部１１０ｃは、ユーザがクライマックスシーンを選択するまで待機する。一方、画像処理情報生成部１１０ｃは、前記の操作信号が供給されていれば、ユーザがクライマックスシーンを選択したと判別し（ステップＳ１０２；ＹＥＳ）、クライマックスシーンとして選択された画像（つまり、クライマックスシーンとして特定された画像）の表示の順番を示すデータを生成し、保持（ＲＡＭ１１２に一時記録）する（ステップＳ１０３）。このようにして、画像処理情報生成部１１０ｃは、クライマックスシーンを特定する。画像処理情報生成部１１０ｃは、画像選択用画像内の各画像の表示の順番を特定できるので、特定された画像の表示の順番を示すデータを生成できる。
【００３１】
次に、画像処理情報生成部１１０ｃは、画風の選択を促す画像（画風選択用画像）を表す表示用データを生成する。画風の種類は、予め決められており、表示制御装置１００が画像処理できる画風の種類である。この表示用データの元となる画像データ（テンプレートの画像データ）は、記憶部１２０に記録されているものとし、画像処理情報生成部１１０ｃは、記憶部１２０からこの画像データを取得して、前記表示用データを生成する。画像処理情報生成部１１０ｃは、生成した表示用データを表示部１４０に供給し、この表示用データが表す画風選択用画像を表示部１４０に表示する（ステップＳ１０４）。この画像選択用画像の表示によって、表示制御装置１００が扱うことのできる画風の種類のうちの一の画風の選択がユーザに促される。
【００３２】
次に、画像処理情報生成部１１０ｃは、ユーザが画風を選択したかを判別する（ステップＳ１０５）。ユーザが操作部１３０を操作し、画風を選択すると、操作部１３０は、この選択に応じた操作信号を画像処理情報生成部１１０ｃに供給する。画像処理情報生成部１１０ｃは、このような操作信号が供給されていなければ、ユーザが画風を選択していないと判別し（ステップＳ１０５；ＮＯ）、再びステップＳ１０５の処理を行う。このようにして、画像処理情報生成部１１０ｃは、ユーザが画風を選択するまで待機する。一方、画像処理情報生成部１１０ｃは、前記の操作信号が供給されていれば、ユーザが画風を選択したと判別し（ステップＳ１０５；ＹＥＳ）、選択された画風を示すデータを生成し、保持する（ステップＳ１０６）。
【００３３】
次に、画像処理情報生成部１１０ｃは、クライマックスシーンから前後何枚（ここで、前後とは、前のみ、後ろのみ適宜含む。）の画像の画風を変更するかの範囲の指定を促す画像（範囲指定用画像）を表す表示用データを生成する。範囲指定用画像は、予め定められた複数の範囲の中から一の範囲を選択させる画像であってもよいし、範囲の枚数（例えば、前後１０枚等）を直接ユーザに入力させるような画像であってもよい。この表示用データの元となる画像データ（テンプレートの画像データ）は、記憶部１２０に記録されているものとし、画像処理情報生成部１１０ｃは、記憶部１２０からこの画像データを取得して、前記表示用データを生成する。画像処理情報生成部１１０ｃは、生成した表示用データを表示部１４０に供給し、この表示用データが表す範囲指定用画像を表示部１４０に表示する（ステップＳ１０７）。この範囲指定用画像の表示によって、クライマックスシーンから前後何枚の画像の画風を変更するかの範囲の指定がユーザに促される。
【００３４】
次に、画像処理情報生成部１１０ｃは、ユーザが前記の範囲を指定したかを判別する（ステップＳ１０８）。ユーザが操作部１３０を操作し、前記の範囲を選択すると、操作部１３０は、この指定に応じた操作信号を画像処理情報生成部１１０ｃに供給する。画像処理情報生成部１１０ｃは、このような操作信号が供給されていなければ、ユーザが前記の範囲を指定していないと判別し（ステップＳ１０８；ＮＯ）、再びステップＳ１０８の処理を行う。このようにして、画像処理情報生成部１１０ｃは、ユーザが前記の範囲を指定するまで待機する。一方、画像処理情報生成部１１０ｃは、前記の操作信号が供給されていれば、ユーザが前記の範囲を指定したと判別し（ステップＳ１０８；ＹＥＳ）、指定された範囲を示すデータを生成し、保持する（ステップＳ１０９）。
【００３５】
次に、画像処理情報生成部１１０ｃは、上記の処理で保持した、クライマックスシーンの表示の順番を示すデータ、画風を示すデータ、範囲を示すデータ、及び、画像データ取得部１１０ａが保持する識別データに基づいて、画像処理情報１２３を生成し、記憶部１２０に記録する。
【００３６】
なお、上記では、画像処理情報生成部１１０ｃは、画像選択用画像を表示部１４０に表示することによって、ユーザにクライマックスシーンの選択を促していたが、処理対象となる画像群を構成する各画像を表示順序データが示す表示順序に従って表示部１４０に順次表示し、ユーザにクライマックスシーンの選択を促してもよい。この場合、画像処理情報生成部１１０ｃは、画像データ取得部１１０ａが順次取得した画像データに基づいて、順次表示用データを生成し、表示部１４０に供給し、各画像データが表す画像を順次表示部１４０に表示する。ユーザは、クライマックスシーンとしたい画像が表示部１４０に表示されたときに操作部１３０を操作する。この操作に応じた操作信号が操作部１３０から供給されたときに表示部１４０に表示している画像をクライマックスシーンとして特定し、この画像の表示の順番に基づいて、クライマックスシーンとして選択された画像の表示の順番を示すデータを生成する。
【００３７】
また、画像処理情報生成部１１０ｃは、上記では、ユーザが選択した画像をクライマックスシーンとして特定したが、画像処理情報生成部１１０ｃは、例えば、特開２００６−２７９９３９号等に記載された技術（連続して撮像された画像の中からユーザが鑑賞を欲する画像（クライマックスシーンに相当）を抽出する技術）を用いて、画像群の中からクライマックスシーンを特定してもよい。つまり、画像処理情報生成部１１０ｃは、画像データ群を構成する各画像データに基づいて、各画像データの中から所定の基準を満たす画像データを抽出し、この画像データが表す画像をクライマックスシーンとして自動的に特定してもよい。
【００３８】
また、上記では、画風及び範囲がユーザの選択又は指定によって特定されていたが、画風及び範囲は予め設定されるか、ランダムで特定されたものであってもよい。この場合、画像処理情報１２３における、画風を示すデータ、範囲を示すデータは、予め設定された内容又はランダムで特定された内容を示すデータになる。
【００３９】
ここで、画像処理情報１２３の内容について、図５を参照して説明する。画像処理情報１２３は、識別情報、順番、画風の種類、画像処理の範囲等の内容を示すデータが互いに対応したデータであり、図５では、複数の画像処理情報１２３がデータベースとして記憶部１２０に記録される。
【００４０】
識別情報は、画像データ群を特定するための情報であり、前記の識別データによって示される。
【００４１】
順番は、クライマックスシーンが画像群の中の何枚目かにあるかの情報であり、前記のクライマックスシーンの表示の順番を示すデータによって示される。
【００４２】
画風の種類は、後述の表示制御処理において、画像を変換する画風の種類を示す情報であり、画風を示すデータによって示される。この画風としては様々なものがあるが、詳しくは後述する。
【００４３】
画像処理の範囲は、後述の表示制御処理において、クライマックスシーンを基準として、クライマックスシーンの前後何枚について画風を変更する画像処理を施すかを示す情報であり、前記の範囲を示すデータによって示される。
【００４４】
画像処理情報１２３は、後述の表示制御処理において参照される。
【００４５】
次に、表示制御装置１００が行う表示制御処理を、図６を参照して説明する。表示制御処理では、表示制御装置１００は、画像群を構成する各画像を表示部１４０に所定期間毎に表示する所謂スライドショーを行う。そして、スライドショーによって表示する画像群のうちのクライマックスシーンについては、表示制御装置１００は、画風を変更して表示する。また、表示制御装置１００は、クライマックスシーンの前又は前後の所定範囲内の順番にある画像についても画風を変更する。このとき、表示制御装置１００は、画風の変更度（異なる画風への変換強度）をクライマックスシーンとその他の画像とで異ならせる。ここで、画風とは、画像における視覚的印象である。ここでは、写真画像が、下記のグラフィックソフト等で用いられるフィルタ等によって、絵画調等の画像に変換されることによって、画風が変更される。つまり、写真の画風から絵画調、モノクロ調等の画風に変更される。
【００４６】
画風の変更は、画像データが表す画像に画風を変更する画像処理を施して行う。このような画像処理は、ラスタ形式の画像データを扱うグラフィックソフト（いわゆるペイント系ソフト（例えば、フォトショップ（ＰＨＯＴＯＳＨＯＰ：登録商標））で用いられているフィルタ（アートフィルタ）などと同様の効果となる画像処理によって行われる。この画像処理では、元となる画像データが表す画像についての種々のパラメータを変更し、例えば、絵画調（油絵風、ちぎり絵風、水墨画風等）の画像などの変換画像を生成する。この場合の画像処理の種類は任意であり、実行可能な画像処理によって実現できる種々の画像変換（例えば、モノクロ調への変換、セピア調への変換、ソフトフォーカス調への変換、ビビッド調への変換、モザイク調への変換、ミニチュア写真風への変換、など）が適用されうる。
【００４７】
なお、上記のパラメータは、画像処理を施すときに使用される各種数値である。このようなパラメータは、画像の性質を表す数値であり、例えば、明るさ、変換の細かさ、なめらかさ、テクスチャでの値等、画像処理の種類（変更する画風の種類）によって、様々なもので構成される。ここでは、このパラメータによって画風の変更度が表現される。変更度とは、どの程度の強度で画像変換処理を行うかの尺度となる値であり、画像処理の前後の画像を比べたときの変化の度合いである。
【００４８】
また、以下では、画風の変更について、変更度をＰとしたとき、画像の変更が最適となる変更度Ｐを最大値１００（変更度Ｐとして取り得る値の最大値）として説明する。画像の変更が最適となる変更度は、画像の画風が最も良い程度で変更されるような変更度である。ここでは、変更度が上がるにつれて、徐々に変更後の画像が前記の最も良い程度に変更された画像に近づくように、徐々に画風の変更後の画像が変わるような画像処理が行われる。そして、変更度が最も大きいとき（ここでは、１００）の画像処理によって、画像の画風が最も良い程度で変更される。最も大きいときの変更度Ｐは、変換後の画像の画風が最も良い程度で変更されるようなパラメータ（最適パラメータ）によって表現される。画風が最も良い程度がどの程度であるかは、ユーザの主観によるものであるので、最適パラメータは、既定値として予め設定されているものとする（ユーザが適宜変更しても良い）。Ｐが１００ということは、パラメータが最適パラメータになる。また、Ｐが１００未満の場合には、最適パラメータの各数値にＰ／１００の数値を乗じたパラメータを用いて画像処理がなされる。このように、変更度Ｐ（パラメータ）に応じて画像処理が行われる。前記のパラメータは、例えば、描画パラメータであり、例えば、フォトショップ等で使用される画像処理のパラメータである。
【００４９】
また、ここでは、クライマックスシーンから前後何枚目であるかによって、変更度Ｐが変化する。ここでは、このＰの算出方法は下記のような式（１）とする。ここで、ｚは、画像処理を行う画像の範囲の数値の絶対値＋１である（画像の範囲の数値が±４であれば、ｚ＝５）。ｉは実際に表示する画像の順番ｐ（例えば、２０枚目）とクライマックスシーンの表示の順番ｑ（例えば１８枚目）との差の絶対値である。
Ｐ＝（ｚ−ｉ）×１００／ｚ・・・（１）
【００５０】
以上を踏まえ、表示制御処理は、ユーザが操作部１３０を操作し、スライドショーの表示モードを指定するとともに、処理対象となる画像群を指定したときを契機として開始する。なお、この表示制御処理は、処理中であっても、ユーザが操作部１３０を操作し、他のモードを指定したとき等を契機として終了するものとする。また、ユーザによって画像群が指定されたとき、画像データ取得部１１０ａは、識別データ及び表示順序データを記憶媒体５０から適宜取得している（ＲＡＭ１１２に保持している）ものとする。
【００５１】
まず、画像データ取得部１１０ａは、指定された画像群を表す画像データ群に、その画像データ群に連写撮影データで有る旨を示すデータが含まれているか判別することによって、指定された画像群を表す画像データ群が連写撮影データであるかを判別する（ステップＳ２０１）。このとき、画像データ取得部１１０ａが取得した識別データに基づいて、記憶媒体５０に記録されている処理対象の画像データ群を特定する。連写撮影データで有る旨を示すデータがその画像データ群に含まれている場合、表示制御部１１０ｂは、画像データ群が連写撮影データであると判別し（ステップＳ２０１；ＹＥＳ）、表示制御部１１０ｂによってステップＳ２０１の処理が行われる。ステップ画像データ群に含まれていない場合、表示制御部１１０ｂは、画像データ群が連写撮影データでないと判別し（ステップＳ２０１；ＮＯ）、表示制御部１１０ｂによってステップＳ２１０の処理が行われる。
【００５２】
表示制御部１１０ｂは、ステップＳ２０２の処理において、指定された画像群について、画像処理情報が生成されているかを判別する。例えば、表示制御部１１０ｂは、指定された画像データ群の識別データ（画像データ取得部１１０ａが取得している。）に基づいて、記憶部１２０にこの識別データによって示される識別情報（例えば、図５の画像処理情報１２３における識別情報「Ａ」又は「Ｂ」等）を含む画像処理情報１２３が記録されているかを判別することによって上記判別を行う。
【００５３】
表示制御部１１０ｂは、前記の画像処理情報１２３が記録されている場合には、画像処理情報が生成されていると判別する（ステップＳ２０２；ＹＥＳ）。この場合、次に画像データ取得部１１０ａがステップＳ２０４の処理を行う。なお、このとき、表示制御部１１０ｂは、ＲＡＭ１１２に前記の画像処理情報１２３を読み出し保持することによって、以降の処理でこの画像処理情報１２３が参照されるものとする。一方、前記の画像処理情報１２３が記録されていない場合には、画像処理情報１２３が生成されていないと判別し（ステップＳ２０２；ＮＯ）、ステップＳ２０３の処理を行う。
【００５４】
表示制御部１１０ｂは、ステップＳ２０３の処理において、新たに画像処理情報を生成する。画像処理情報の内容は、上記の画像処理情報１２３と同様であり、順番は、例えば、表示順序データ（画像データ取得部１１０ａが取得している。）に基づいて、最後の表示の順番とする。これによって、クライマックスシーンは、便宜上、最後の順番で表示される画像になる。また、その他の内容については、予め設定されるか、ランダムに設定される。表示制御部１１０ｂは、ステップＳ２０３の処理の後、画像データ取得部１１０ａがステップＳ２０４の処理を行うが、以降の処理では、この処理で生成した画像処理情報が画像処理情報１２３として、ＲＡＭ１１２に保持され参照されるものとする。
【００５５】
以上のように、画像処理情報１２３によって、画像群の中から、画風を変更すべき画像が特定される。これによって、表示制御部１１０ｂは、以降の処理で画像処理情報１２３することによって、画像群のうちの予め定められた画像について画風を変換することになる。
【００５６】
上記によって、画風を変更すべき画像は、ユーザの操作部１３０の操作に基づいて予め設定されるか、複数の画像（画像群）のうちの表示順序が最後の画像に基づいて表示制御装置１００によって自動的に設定されるか、複数の画像のうちの所定の基準を満たす画像に基づいて表示装置１００によって自動的に設定されることになる。
【００５７】
ステップＳ２０４の処理において、画像データ取得部１１０ａは、ｎ＝１を設定するとともに、表示順序データ（画像データ取得部１１０ａが取得している）が示す表示順序に従って、読出・書込部１５０を介して記憶媒体５０からｎに対応する表示の順番の画像データを取得する（ＲＡＭ１１２に読み出し保持する）。なお、このとき、画像データ取得部１１０ａが取得した識別データに基づいて、記憶媒体５０に記録されている処理対象の画像データ群を特定する。なお、画像データ取得部１１０ａは、以降で繰り返されるステップＳ２０４の処理において、ｎを１ずつ増加させて上記の処理を行う。これによって、画像データ取得部１１０ａは、画像の表示順序に従って画像データを取得する。また、画像データ取得部１１０ａは、このステップＳ２０４の繰り返しによって、複数の画像データを取得するが、画像データ取得部１１０ａは、複数の画像データを一度に取得しても良い。この場合には、各画像データについて、表示順序が分かるように保持する。また、この場合、後述のステップＳ２０９でＹＥＳと判別された後、適宜、ステップＳ２０５の処理が行われる。
【００５８】
画像データ取得部１１０ａが画像データを取得すると、表示制御部１１０ｂは、画像データ取得部１１０ａが取得した画像データについて、画像処理を行うか判別する（ステップＳ２０５）。表示制御部１１０ｂは、画像データが表す画像の表示の順番がクライマックスシーンの表示の順番から所定の範囲内にある場合（ステップＳ２０５；ＹＥＳ）には画像処理を行い、所定の範囲内にない場合（ステップＳ２０５；ＮＯ）には画像処理を行わない。この判別は、設定したｎと、表示制御部１１０ｂによって参照される画像処理情報１２３に含まれるクライマックスシーンの順番及び画像処理の範囲と、に基づいて決められる。例えば、表示制御部１１０ｂは、画像データ取得部１１０ａが設定したｎの値が、（順番の数値＋画像処理の範囲の最小の数値）〜（順番の数値＋画像処理の範囲の最大の数値）の範囲内に入っていれば、画像処理を行うと判別し（ステップＳ２０５；ＹＥＳ）、ステップＳ２０６の処理を行う。一方、表示制御部１１０ｂは、ｎの値が、前記の範囲内に入っていなければ、画像処理を行わないと判別し（ステップＳ２０５；ＮＯ）、ステップＳ２０８の処理を行う。
【００５９】
例えば、処理対象の画像データ群が、図５に示す画像処理情報１２３における識別情報がＡ又はＢであった場合、順番の数値は、Ａであれば２０、Ｂであれば１０になり、画像処理の範囲の最小の数値は、Ａであれば−４、Ｂであれば−６になる。また、画像処理の範囲の最大の数値は、Ａであれば＋４、Ｂであれば０になる。このため、前記の範囲は、例えば、Ａであれば、１６〜２４となり、Ｂであれば、４〜１０となる。
【００６０】
表示制御部１１０ｂは、ステップＳ２０６の処理において、変更度Ｐを算出する。表示制御部１１０ｂは、前記のｎを用いるとともに、画像処理情報１２３を参照してＰを算出する（ステップＳ２０６）。上述のように、表示制御部１１０ｂは、上述の式（１）を用いてＰを算出する。ｚは、画像処理を行う画像の範囲の数値の絶対値＋１であるので、画像処理情報１２３の画像処理の範囲の数値を使用する。画像の順番ｐは、ｎである。クライマックスシーンの表示の順番ｑは、画像処理情報１２３の順番の数値を使用する。
【００６１】
表示制御部１１０ｂは、変更度Ｐを算出すると、画像データ取得部１１０ａが取得したｎ番目の画像データに基づいて、変更度Ｐに応じた画像処理を行う（ステップＳ２０７）。この画像処理が施されることによって、画像変換が行われ、画風が異なる画像が生成される。つまり、画風の異なる画像を現す画像データが生成され、ＲＡＭ１１２に保持される。なお、表示制御部１１０ｂは、変更する画風の種類を、画像処理情報１２３の画風の種類を参照して特定し、特定した種類の画風となるような画像処理を行う。表示制御部１１０ｂは、画像処理を行うとステップＳ２０８の処理を行う。
【００６２】
表示制御部１１０ｂは、ステップＳ２０８の処理において、画像表示を行う。表示制御部１１０ｂは、前記の画像処理を行った場合（直近のステップＳ２０５でＹＥＳと判別した場合）、画像処理後の画像データに基づいて表示用データを生成し、表示部１４０に供給することで、表示部１４０に画像処理後の画像を表示する。また、表示制御部１１０ｂは、前記の画像処理を行っていない場合（直近のステップＳ２０５でＮＯと判別した場合）、画像データが取得した最新の画像データに基づいて表示用データを生成し、表示部１４０に供給することで、表示部１４０に画像処理が施されていない画像を表示する。
【００６３】
なお、表示制御部１１０ｂは、ステップＳ２０８の処理において、画像の表示後、一定の時間待機するとよい。これによって、表示部１４０に表示される画像の切り替えタイミングがコントロールされる。
【００６４】
画像データ取得部１１０ａは、表示制御部１１０ｂがステップＳ２０８の処理を行うと、現在、表示部１４０に表示されている画像が表示順序における最後の画像であるかを判別する（ステップＳ２０９）。この処理は、表示順序データが示す表示順序を参照して判別される。この表示順序によって、表示部１４０に表示されている画像が最後であるか分かる。画像データ取得部１１０ａが最後の画像であると判別した場合（ステップＳ２０９；ＹＥＳ）、表示制御処理は終了する。一方で、画像データ取得部１１０ａは、最後の画像でないと判別した場合（ステップＳ２０９；ＮＯ）、まだ、表示すべき画像があるので、ステップＳ２０４の処理を再び行う。
【００６５】
上記ステップＳ２０４乃至２０９によって、ユーザによって指定された画像データ群に基づいて、画像群を構成する複数の画像が順次表示部１４０に表示される（スライドショー）。
【００６６】
表示制御部１１０ｂは、ステップＳ２１０において、変更度Ｐを１００とし、画像データ取得部１１０ａと表示制御部１１０ｂとは、スライドショーを行う（ステップＳ２１１）。ここでのスライドショーでは、すべての画像データについて変更度Ｐを１００とした画像処理がなされて画像表示がなされる。なお、スライドショーについては、ステップＳ２０４、ステップＳ２０７乃至Ｓ２０９と同様の処理によって行われる。具体的には、画像データ取得部１１０ａが画像データ群を構成する画像データを取得し、取得した各画像データについて表示制御部１１０ｂが画像処理を施すとともに、画像処理の画像データに基づいて表示用データを生成する。表示制御部１１０ｂは、生成した表示用データを表示部１４０に供給して画像処理後の画像を表示部１４０に表示する。スライドショーが終了すると、表示制御処理は終了する。
【００６７】
ステップＳ２１１でのスライドショーでは、すべての画像について、同じ変更度で画像の画風が変更され、変更された画風の画像が表示部１４０に順次表示される。一方、ステップＳ２０４乃至２０９において行われるスライドショーでは、クライマックスシーンの順番を基準にして予め定められた前後何枚の範囲内（所定範囲内）にある表示の順番の画像の画風が変更される。また、画風の変更度は、クライマックスシーンの画像がもっとも大きくなる。
【００６８】
なお、上記では、画像データ群が連写撮影データである場合、つまり、表示部１４０に順次表示される画像群が連写撮影によって得られた連続写真である場合に、ステップＳ２０４乃至２０９を行うとしたが、画像群が連続写真でない場合に、ステップＳ２０４乃至２０９を行っても良い。
【００６９】
ステップＳ２０４乃至２０９の処理によって行われるスライドショーによって表示部１４０に表示される画像と、変更度Ｐの変化との関係の一例（画像情報１２３における識別情報がＡのように画像処理の範囲がクライマックスシーンの前後にある場合）について、図７を参照して説明する。図７（ａ）は、表示部１４０にスライドショー表示される画像群を構成する各画像（画風を変更する画像にあっては、変更される前の元画像）の一部を表す。図７（ｂ）は、表示部１４０に表示する表示順番と、表示順序に応じて画風を変更する際の変更度Ｐとの関係を示したグラフである。図７（ｃ）は、元画像のうちの主要被写体である人に着目して、どの画像について画像処理が施されるかを説明するための図である。
【００７０】
図７（ａ）において、画像Ｄ［０］がクライマックスシーンである。また、画像Ｄ［−１０］は、クライマックスシーンから１０枚前の画像である。また、画像Ｄ［１０］は、クライマックスシーンから１０枚後の画像である。Ｄの［］内の値は、クライマックスシーンを基準として前後の何枚目にあるかの数字である（以下、図７乃至図９において同様）。
【００７１】
図７（ａ）乃至（ｃ）のように、スライドショー表示される画像群を構成する各画像において、クライマックスシーンを基準にして前後所定枚数の範囲にある画像は画風が変更されて表示部１４０に表示される（図７（ｂ）参照）。さらに、図７（ｂ）及び図７（ｃ）のように、クライマックスシーンの変更度Ｐを最大にして、クライマックスシーンに近づけば近づくほど変更度Ｐが大きくなっている。これによって、クライマックスシーンの画像が最も画風が良く変化していることになる。なお、図７（ｂ）において、変更度Ｐが０のときは、その画像は、画像処理を行う範囲には入っていないので、このときの順番の画像は画像処理が施されない。
【００７２】
なお、上記では、変更度Ｐと表示枚数とは、画像処理を行う表示枚数の範囲で一次関数の関係になっているが、両者の増減の関係は、例えば、図８（ａ）又は（ｂ）のように曲線的に増減してもよい（このような増減の関係は、図９で説明する変形でも同様）。この場合、上記での式（１）は、図８（ａ）又は（ｂ）に示すような式にする。
【００７３】
ここでは、上記構成によって、表示制御部１１０ｂは、画像データ取得部１１０ａが取得した複数の画像データ（ここでは、画像データ群）に基づいて、複数の画像データがそれぞれ表す複数の画像（ここでは、画像群）を所定の表示順序で表示部１４０に表示する（スライドショー）。そして、表示制御部１１０ｂは、表示部１４０に表示する複数の画像のうちの予め定められた一部の画像（ここでは、クライマックスシーンの表示の順番を基準として前後所定範囲内の順番にある画像）について、画像の画風を変更する画像処理を施し、画像処理後の画像を表示部に表示する。
【００７４】
以上のような構成によって、スライドショーで順次表示される画像群のうちの一部の画像が、画風が変更されて表示部１４０に表示されるので、この一部の画像を他の画像に比べて目立たせることができる。これによって、表示部１４０に順次表示される画像群の中で、ユーザの興味を引く画像等の所定の画像を際立たせることができる。これによって、例えば、「運動会でゴールした瞬間」（図７）、「サッカーでボールを蹴る瞬間」等を捉えた一部の画像を、画像表示（スライドショー）において印象的に表現することができ、スライドショーをより効果的に演出することができる。そして、ユーザの興味を引くシーンを際立たせることができる。
【００７５】
また、ここでは、上記によって、表示制御部１１０ｂは、前記の一部の画像のうちの一の画像（クライマックスシーン）の画風の変更度が最も大きくなるように、変更度を異ならせて画像の画風を変更する。
【００７６】
なお、画風の変更度が最も大きくなる画像は複数であってもよい。すなわち、表示制御部１１０ｂは、前記の一部の画像のうちの一部の複数の画像（クライマックスシーン）の画風の変更度が最も大きくなるように、変更度を異ならせて画像の画風を変更してもよい。例えば、図９（ａ）のように、クライマックスシーンから前後複数枚の画像について、変更度Ｐを最大にしてもよい。
【００７７】
以上のように、表示制御部１１０ｂが、前記の一部の画像のうちの一部かつ一以上の画像（クライマックスシーン）の画風の変更度が最も大きくなるように、変更度を異ならせて画像の画風を変更することにより、ユーザの興味を引く画像等の所定の一以上の画像を際立たせることができる。
【００７８】
また、上記では、変更度が最も大きい画像（クライマックスシーン）は、表示順序が前記の一部の画像のうちの真ん中にある場合がある（画像情報１２３における識別情報がＡの場合、図７の場合等を参照）。この場合、クライマックスシーンに向かって、画風の変更度が徐々に大きくなり、クライマックスシーンの表示後は徐々に画風の変更度を小さくすることによって、印象的な画像表示が行われる。なお、ここでは、変更度が最も大きい画像（クライマックスシーン）は、表示順序が前記の一部の画像のうちの真ん中にあればよいので、変更度が最も大きい画像は、クライマックスシーンの前後複数枚に渡っていても良い（図９（ａ）参照）。これによって、クライマックスシーンを含む複数枚の画像が際立つことになる。これによって、印象的な画像表示が行われる。
【００７９】
なお、変更度が最も大きい画像は、真ん中に無くても良い。例えば、表示順序の後ろより、前よりにあってもよい。また、変更度Ｐの変化度は、クライマックスシーンの前後で異なっても良い。これによって、印象的な画像表示が行われる。
【００８０】
また、上記では変更度が最も大きい画像は、表示順序が一部の画像のうちの最後の画像であって、かつ、画像群の最後の画像で有る場合がある。この場合、画像群の中の最後の画像について際立たせることができる。
【００８１】
また、上記ではクライマックスシーンが過ぎた後の所定の範囲にある順番の画像について、画像処理を施している場合もあるが、クライマックスシーンを最後の画像としてもよい（画像情報１２３における識別情報がＢの場合参照）。つまり、変更度が最も大きい画像は、表示順序が前記の一部の画像のうちの最後の画像であって、その後に表示される画像については、画像処理を施さない元の画像を表示するようにしてもよい。例えば、図９（ｂ）のように、クライマックスシーンよりも後の順番の画像については、画像処理を施さないようにしてもよい。これによって、画像処理がスライドショー中に突然解除されたような印象をユーザに与えることができ、印象的な画像表示が行われる。なお、ここでは、変更度が最も大きい画像は、表示順序が前記の一部の画像のうちの最後の画像であればよいので、変更度が最も大きい画像は、クライマックスシーンの以前の複数枚に渡っていても良い（図９（ａ）参照）。これによって、クライマックスシーンを含む複数枚の画像が際立つことになる。
【００８２】
なお、表示制御部１１０ｂは、変更度の扱い及び画像処理の扱いについて、反対の扱いをしてもよい。例えば、図９（ｃ）のように、前記の一部の画像以外の画像の画像データについて、変更度を最大にして画像処理を行い、画像処理後の画像を表示するとともに、クライマックスシーンについては、画像処理を行わないようにしてもよい。これによって、クライマックスシーンは、他の画像とは異なる画像になるので、クライマックスシーンを際立たせることができる。特に、クライマックスシーン以外の前記の一部の画像については、変更度を最大未満とすることによって、印象的な画像表示が成される。また、特に、クライマックスシーンに近づく程に変更度が低くなっていることによって、より印象的な画像表示が成される。このようにして、表示制御部１１０ｂは、表示部１４０に表示する複数の画像のうちの予め定められた一部の画像（上記の一部の画像以外の画像）について、画像の画風を変更する画像処理を施してから表示部１４０に表示してもよい。
【００８３】
上記実施形態では、画像処理が画像の表示の際に行われているが、画像取得部１１０ａ及び表示制御部１１０ｂは、ステップＳ２０２乃至Ｓ２０９と同様の処理（但し、ステップＳ２０２は、画像データの記憶媒体５０又は記憶部１２０への記録になる。）を行うことによって、画像処理を予め行っても良い。この場合、画像処理された画像データ及び画像処理されない画像データは画像データ群として記録してもよい。この場合には、この画像データ群を用いてそのままスライドショーを行うことによって、上記のようなスライドショーが実現される。この場合、表示制御装置１００は、画像処理装置になる。また、表示制御部１１０ｂは、画像処理部になる。制御プログラム１２２は、画像処理プログラムになる。
【００８４】
上記実施形態では、表示装置を写真表示装置として説明した。しかし、表示装置は、写真表示装置に限られるものではなく、例えば、デジタルカメラ等であってもよい。
【００８５】
また、上記実施形態では、制御プログラム１２２が、それぞれハードディスク１２１等のコンピュータ読み取り可能な記録媒体に予め記憶されているものとして説明した。しかし、表示制御装置１００を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これをコンピュータにインストールし、そのコンピュータに上述の処理を実行させてもよい。
【００８６】
さらに、制御プログラム１２２は、インターネット上のサーバ装置が有するディスク装置等に格納され、例えば、搬送波に重畳させて、コンピュータにダウンロード等されるものとしてもよい。
【００８７】
表示制御装置１００はデジタルカメラ、パーソナルコンピュータ等のコンピュータであってもよい。表示制御装置１００がパーソナルコンピュータ等である場合は、表示制御装置１００は、記憶部１２０、表示部１４０等を備えなくても良い。この場合の表示制御装置１００は、適宜、外部の、記憶部、表示部等に接続される。
【符号の説明】
【００８８】
５０・・・記憶媒体、１００・・・表示制御装置、１１０・・・制御部、１１０ａ・・・画像データ取得部、１１０ｂ・・・表示制御部、画像処理情報生成部１１０ｃ、１２０・・・記憶部、１２２・・・制御プログラム、１２３・・・画像処理情報、１３０・・・操作部、１４０・・・表示部、１５０・・・読出・書込部、
【図１】
0005556194.tif 000002
【図２】
0005556194.tif 000003
【図３】
0005556194.tif 000004
【図４】
0005556194.tif 000005
【図５】
0005556194.tif 000006
【図６】
0005556194.tif 000007
【図７】
0005556194.tif 000008
【図８】
0005556194.tif 000009
【図９】
0005556194.tif 000010